(57)【要約】      （修正有）【課題】相手側コネクタに対するコネクタ挿入力の増大を抑えることができるコネクタを提供する。【解決手段】雌コネクタ１の本体１１が備える係止部材１１０は、開口４１から端子収容室４内に当接部１１１を進入させている。端子収容室４に収容される端子７は、当接部１１１と係合する係合孔７１を備えている。端子７は、係止部材１１０の当接部１１１を係合孔７１に端子収容室４への端子６の離脱方向に当接させて、端子収容室４内での位置決めをされる。端子収容室４は、雄コネクタ２の端子６が挿入される挿入口４０の開口した下端部から、上方に向けて左右の幅を徐々に拡幅させて上方へ延びた拡幅部４３を備えている。このため、端子収容室４に収容された端子７は、係止部材１１０の当接部１１１と当接した係合孔７１を支点として、端子収容室４内で左右方向に揺動自在となる。【選択図】図２
2010140724.tif 000002
【特許請求の範囲】
【請求項１】
相手側コネクタの備える相手側端子をハウジングの備える端子収容室に挿入して、前記端子収容室内の接続端子に接続するコネクタであって、
前記端子収容室は、前記端子収容室の幅方向への前記接続端子の揺動を許容するように、相手側端子の挿入口側から奥方向に向けて拡幅して延びた拡幅部を備えることを特徴とするコネクタ。
【請求項２】
前記ハウジングが前記端子収容室内に臨ませた当接部を、前記接続端子の備える被当接部に、前記端子収容室への相手側端子の挿入方向又は離脱方向に当接させて、前記端子収容室内での前記接続端子の位置決めを行うコネクタであって、
前記当接部及び前記被当接部の何れか一方の他方に対する当接面を、前記端子収容室の幅方向の中央部から両端部にかけて、当接方向と逆方向に後退させて構成したことを特徴とする請求項１に記載のコネクタ。
【請求項３】
相手側コネクタに対する請求項１又は２に記載のコネクタの接続構造であって、
前記相手側コネクタが相手側端子を突出させた突出面と、前記コネクタの前記挿入口の開口面との何れか一方から、前記相手側端子の挿脱方向に向けて突設された突出部と、他方から前記相手側端子の挿脱方向に向けて延びて前記突出部を挿入される挿入部とを備えることを特徴とするコネクタの接続構造。
【請求項４】
前記コネクタ又は前記相手側コネクタに支持されたレバーの操作で両コネクタ同士を引き込み合わせ、前記相手側端子を前記端子収容室に挿入して前記端子収容室内の接続端子に接続することを特徴とする請求項３に記載のコネクタの接続構造。
【発明の詳細な説明】
【技術分野】
【０００１】
本発明は、相手側コネクタの備える相手側端子をハウジングの備える端子収容室に挿入して端子収容室内の接続端子に接続するコネクタ、及び該コネクタと相手側コネクタとの接続構造に関する。
【背景技術】
【０００２】
この種のコネクタは、下記の特許文献１に開示されている。特許文献１のレバー嵌合式コネクタは、雄コネクタを雌コネクタに挿入された状態でレバーが操作されると、レバーが雌コネクタを上方に押圧する。これにより、雄コネクタがレバーを介して雌コネクタに引き込まれ、雌コネクタの端子が雄コネクタの端子収容室に挿入されて端子収容室内の端子に接続される。
【０００３】
【特許文献１】特開２０００−９１０２６公報
【発明の開示】
【発明が解決しようとする課題】
【０００４】
雄コネクタの端子収容室内での端子の延設方向と雌コネクタの端子の挿入方向とが一致せずに斜めに挿入されると、端子同士が干渉することで、雄コネクタを雌コネクタへ挿入するのに必要なコネクタ挿入力が増大する。特許文献１に開示されたようなレバー式のコネクタでは、両コネクタの装着方向に対して斜めにレバーによる引込力が働くため、雄コネクタが雌コネクタに傾いて引き込まれ、雄コネクタの端子収容室内での端子の延設方向に対して斜めに雌コネクタの端子が挿入されて、必要なコネクタ挿入力が大きくなる傾向が強かった。
【０００５】
本発明は斯かる課題に鑑みてなされたもので、上記課題を解決できるコネクタを提供することを目的とする。
【課題を解決するための手段】
【０００６】
このような目的を達成するために、本発明のコネクタは、相手側コネクタの備える相手側端子をハウジングの備える端子収容室に挿入して、前記端子収容室内の接続端子に接続するコネクタであって、前記端子収容室が、前記端子収容室の幅方向への前記接続端子の揺動を許容するように、相手側端子の挿入口側から奥方向に向けて拡幅して延びた拡幅部を備えることを特徴とする。
また、本発明は、前記ハウジングが前記端子収容室内に臨ませた当接部を、前記接続端子の備える被当接部に、前記端子収容室への相手側端子の挿入方向又は離脱方向に当接させて、前記端子収容室内での前記接続端子の位置決めを行うコネクタであって、前記当接部及び前記被当接部の何れか一方の他方に対する当接面を、前記端子収容室の幅方向の中央部から両端部にかけて、当接方向と逆方向に後退させて構成したことを特徴とする。
また、本発明のコネクタの接続構造は、相手側コネクタに対する上記コネクタの接続構造であって、前記相手側コネクタが相手側端子を突出させた突出面と、前記コネクタの前記挿入口の開口面との何れか一方から、前記相手側端子の挿脱方向に向けて突設された突出部と、他方から前記相手側端子の挿脱方向に向けて延びて前記突出部を挿入される挿入部とを備えることを特徴とする。
また、本発明は、前記コネクタ又は前記相手側コネクタに支持されたレバーの操作で両コネクタ同士を引き込み合わせ、前記相手側端子を前記端子収容室に挿入して前記端子収容室内の接続端子に接続することを特徴とする。
【発明の効果】
【０００７】
本発明によれば、コネクタ挿入力を小さく抑えて相手側コネクタとの接続を行うことができる。
【発明を実施するための最良の形態】
【０００８】
以下、図面を参照して、本発明の第１の実施形態を説明する。
図１は本実施形態のコネクタ装置の構成の概略を示す図であり、（ａ）は斜視図，（ｂ）は雄コネクタ２を断面で示す側面図である。なお、以下の説明で用いる上下，前後，左右の各方向は説明に用いる各図に示している。この上下，前後，左右は説明のために記載したもので、実際の配置と異なってよいことはもちろんである。
【０００９】
コネクタ装置は、雌コネクタ１をレバー３の操作で雄コネクタ２に引き込むことで、雌コネクタ１と雄コネクタ２とが装着される。雌コネクタ１は、端子収容室４を備えた略四角ブロック状の本体１１と、本体１１の前後及び左右の四隅に設けられて雄コネクタ２に挿入される本体１１をガイドするガイド突部１２と、本体１１の左側面の前後方向の中央部に設けられてレバー操作されるレバー３をガイドするガイド部１３と、本体１１の前後の側面の下縁にそれぞれ設けられて上面でレバー３を支持する複数の受部１４と、本体１１の前後の側面に突設された支軸１５とを備えている。
【００１０】
レバー３は、本体１１の前後の側面を外側から挟み込んで配置される一対の側板３１と、側板３１の左端部から本体１１を覆うように延びて側板３１同士を接続する操作部３２と、本体１１の左側面を覆う操作部３２を左右方向に貫通して上下方向に延びたガイド溝３３と、側板３１の外面の右端部に雌コネクタ１の右端部の受部１４と左右位置を揃えて突設された押圧部３５とを備えており、側板３１を前後方向に貫通する貫通孔３６に支軸１５を挿通されて、雌コネクタ１に揺動自在に支持される。
【００１１】
雄コネクタ２は、端子６を端子収納孔５から上方に突出させた略四角ブロック状の本体２１と、本体２１の上端部から上方に延びて略四角筒状を呈し、雌コネクタ１の本体１１を挿入されるフード部２２と、フード部２２の内面の前後及び左右の四隅に設けられて雌コネクタ１のガイド突部１２をガイドするガイド凹部２３と、フード部２２の前後の内面の右端部で上下方向に延びて雌コネクタ１の右端部の受部１４及びレバー３の押圧部３５をガイドするガイド凹部２４と、フード部２２の前後の内面の左右方向の中央部に設けられて雌コネクタ１の支軸１５を下から支持する支持部２６とを備えている。ガイド凹部２４の下端部から上下方向の中央部にかけての右縁からは、右方に向けて当接凹部２５が延びている。
【００１２】
コネクタ装置では、支軸１５でレバー３を支持した雌コネクタ１がフード部２２に上端開口部から挿入されて、レバー３の操作部３２が下方に押し込まれると、支軸１５を支点としてレバー３が左側を下方に移動させるように揺動する。これに伴い、レバー３の押圧部３５が上方に移動してガイド凹部２４から当接凹部２５内に進入し、当接凹部２５の上側内面を上方に押圧する。これにより、雌コネクタ１の本体１１は、レバー３を介して雄コネクタ２のフード部２２内に引き込まれる。雌コネクタ１の左端部の受部１４に側板３１の下縁を当接させるまでレバー３が揺動すると、本体１１の下面が本体２１の上面と合わさり、雌コネクタ１と雄コネクタ２とが装着される。
【００１３】
このようにして構成されるコネクタ装置での雌コネクタ１が備える端子収容室４の構成について説明する。図２は雌コネクタ１の端子収容室４を拡大して示す断面図であり、（ａ）は端子７を収容した状態を前後方向に延びる断面で，（ｂ）は端子７を収容していない状態を左右方向に延びる断面で，（ｃ）は（ｂ）に示す端子収容室４に端子７が収容された状態をそれぞれ示している。
【００１４】
図２（ａ）に示すように、端子収容室４の前壁には、前壁を前後方向に貫通する開口４１が設けられている。開口４１の上縁に位置する本体１１からは、開口４１内に係止部材１１０が延びている。係止部材１１０の後端面からは、後方に向けて当接部１１１が膨出して、端子収容室４内に進入している。
【００１５】
端子収容室４に収容される端子７は、雄コネクタ２の端子６と接続される接続部７ａと、電線の芯線を加締めるワイヤバレル７ｂと、被覆を加締めるインシュレーションバレル７ｃとを備えている。接続部７ａは、略四角筒状を呈しており、端子収容室４内に進入した係止部材１１０の当接部１１１と係合する係合孔７１が、前壁を前後方向に貫通して形成されている。また、接続部７ａ内には、先端開口部から端子７内に挿入された雄コネクタ２の端子６を、前側から弾性支持する弾性支持片７２が設けられている。端子７は、係止部材１１０の当接部１１１を係合孔７１に端子収容室４からの端子６の離脱方向に当接させて、端子収容室４内での位置決めをされる。
【００１６】
図２（ｂ）に示すように、端子収容室４は、雄コネクタ２の端子６が挿入される挿入口４０の開口した下端部から、上方に向けて左右の幅を徐々に拡幅させて上方へ延びた拡幅部４３を備えている。つまり、拡幅部４３を構成する端子収容室４の左右の側壁４ａは、下側から上側にかけて互いの間隔を徐々に広げるように配置されており、拡幅部４３より上側の端子収容室４の左右の側壁４ｂは、互いに平行に向き合って配置されている。このため、図２（ｃ）に矢印で示すように、端子収容室４に収容された端子７は、係止部材１１０の当接部１１１と当接した係合孔７１を支点として、端子収容室４内で左右方向に揺動自在となる。
【００１７】
雄コネクタ２の端子６が端子収容室４に挿入される際の動作を、図３を用いて説明する。図３は雌コネクタ１の端子７内に雄コネクタ２の端子６が挿入される状態を左右方向に延びる断面で拡大して示す図であり、（ａ）は端子６の先端部，（ｂ）は基端部までが挿入された状態を示している。
【００１８】
図３（ａ）に示すように、端子収容室４内で端子７が端子収容室４の軸心に対して上端側を傾けて配置されている状態で、雄コネクタ２の端子６が端子収容室４に挿入された場合、端子７は、端子６から受ける押圧力で、図３（ｂ）に示すように、端子６の挿入方向に沿って配置されるように係合孔７１を支点として揺動する。図３に示す例では、同図（ａ）に示すように、端子７が端子収容室４内で上端側を左方に傾けて配置されている状態で、雄コネクタ２の端子６が端子収容室４の軸心に沿うように端子７内に挿入されているので、端子７の左内側壁が端子６により右方に押圧され、端子７は、同図（ｂ）に矢印で示すように上端側を右方に揺動させて、端子６の挿入方向、つまり端子収容室４の軸心に沿う方向に配置された状態となる。
【００１９】
雌コネクタ１を雄コネクタ２に装着する際に、レバー３が支軸１５を支点として揺動し、雄コネクタ２の当接凹部２５をレバー３の押圧部３５が上方に押圧すると、雌コネクタ１が雄コネクタ２への装着方向である下方に対して斜めに傾いてフード部２２内に引き込まれる。このため、端子収容室４の軸心に対して斜めに雄コネクタ２の端子６が挿入されるが、端子７は、端子６の挿入方向に沿って配置されるように、端子６から受ける押圧力で係合孔７１を支点として揺動する。
【００２０】
このように、本実施形態によれば、端子７を収容する端子収容室４が、挿入口４０の開口する下端側から上方に向けて左右の幅を徐々に拡幅させて上方へ延びた拡幅部４３を備えていることから、端子収容室４内への端子６の挿入方向に沿って配置されるように、端子７を端子収容室４内で左右方向に揺動させることができる。このため、端子６と端子７との干渉による端子６の挿入力の増大を抑え、雌コネクタ１を雄コネクタ２に挿入する際のコネクタ挿入力の増大を抑えることができる。
【００２１】
次に、本発明の第２の実施形態を説明する。図４は本実施形態の雌コネクタ１が備える係止部材１１０を拡大して示す図であり、（ａ）は左右方向に延びる端子収容室４の断面図で，（ｂ）は後方からの斜視図で，（ｃ）は（ａ）の拡大図で、それぞれ示している。
【００２２】
本実施形態の雌コネクタ１では、図４（ａ），（ｂ）に示すように、本体１１の備える係止部材１１０が、端子７の係合孔７１への当接面となる当接部１１１の下端面を、端子収容室４の左右の幅方向の中央部から両端部にかけて、当接方向と逆方向となる上方に後退させている。図に示す例では、当接部１１１の下端面は、後方から見て略円弧状を呈している。このため、図４（ｃ）に拡大して示すように、当接部１１１の下端面の左右の両側部の下側には、当接部１１１の左右方向の中央部と当接した係合孔７１の下縁部とのクリアランス１１１ａが形成される。
【００２３】
雄コネクタ２の端子６が端子収容室４に挿入される際の動作を、図５を用いて説明する。図５は雌コネクタ１の端子７内に雄コネクタ２の端子６が挿入される状態を左右方向に延びる断面で示す図であり、（ａ）は端子７の全体を，（ｂ）は係止部材１１０が備える当接部１１１との当接箇所をそれぞれ拡大して示している。
【００２４】
端子収容室４に収容された端子７は、係合孔７１を支点として図５（ａ）に矢印で示すように端子収容室４内で左右方向に揺動する際、図５（ｂ）に示すように、係合孔７１の下縁部の左右の両側部を、当接部１１１の下端面の左右の両側部の下側に形成されたクリアランス１１１ａ内に進入させ、当接部１１１の下端面の形状に沿うように係合孔７１の下縁部を左右方向に傾ける。
【００２５】
レバー３の操作で雌コネクタ１が雄コネクタ２に装着される際に、端子収容室４の軸心に対して斜めに雄コネクタ２の端子６が挿入されると、端子７は、当接部１１１の下端面に沿わせて係合孔７１の下縁部を傾けて、端子６の挿入方向に沿って配置されるように、係合孔７１を支点として揺動する。
【００２６】
このように、本実施形態によれば、端子収容室４が拡幅部４３を備えているので、端子収容室４内への端子６の挿入方向に沿って配置されるように、端子７を端子収容室４内で左右方向に揺動させて、端子６と端子７との干渉による端子６の挿入力の増大を抑え、雌コネクタ１を雄コネクタ２に挿入する際のコネクタ挿入力の増大を抑えることができる。
【００２７】
しかも、端子７の係合孔７１に当接する当接部１１１の下端面が、左右の幅方向の中央部から両端部にかけて、係合孔７１への当接方向と逆方向に後退していることから、端子収容室４内で揺動する端子７が備える係合孔７１の当接部１１１への当接面を、当接部１１１の下端面に沿うように傾けて、端子６と端子７との干渉による端子の挿入力の増大を効果的に抑えることができる。
【００２８】
次に、本発明の第３の実施形態を説明する。図６は本実施形態の雌コネクタ１が備える端子収容室４を拡大して示す図であり、（ａ）は左右方向に延びる断面図で，（ｂ）は挿入口４０の開口する本体１１の下端面側からの斜視図で、それぞれ示している。図７は本実施形態の雄コネクタ２が備える本体２１の左右方向に延びる断面を拡大して示す斜視図である。
【００２９】
本実施形態では、図６に示すように、雌コネクタ１の端子収容室４は、左右の幅を拡幅させて左右の側壁を互いに平行に配置して構成された嵌合部４２を、拡幅部４３の下側に備えている。図６（ｂ）に示すように、嵌合部４２は、挿入口４０の開口面となる本体１１の下端面に、嵌合孔４２ａを開口させている。嵌合孔４２ａは、隔壁１２０によって左右の幅方向に挿入口４０と隔てられており、挿入口４０の左右の両側に対となって配置されている。
【００３０】
図７に示すように、雄コネクタ２が備える本体２１の上面には、各端子収納孔５の上端開口部の左右の両側に、それぞれ一対の嵌合片５１が配置されている。各嵌合片５１は、本体２１の上面から上方に延びており、下端側から上端側にかけて徐々に左右の肉厚を薄くする平板状を呈している。
【００３１】
本実施形態のコネクタ装置で、雌コネクタ１に雄コネクタ２を装着する際の動作を、端子７が端子収容室４の軸心に対して上端側を傾けて配置されている場合について説明する。図８は雌コネクタ１の端子７内に雄コネクタ２の端子６が挿入される状態を左右方向に延びる断面で示す図であり、（ａ）は端子７の端子６への挿入時，（ｂ）は嵌合片５１の嵌合孔４２ａへの挿入時，（ｃ）は雌コネクタ１の雄コネクタ２への装着時をそれぞれ示している。
【００３２】
図８（ａ）に示すように、雄コネクタ２の端子６が端子収容室４の挿入口４０から端子７内に挿入されると、図８（ｂ）に示すように、端子６の左右の両側に位置した嵌合片５１が、挿入口４０の左右の両側に開口した嵌合孔４２ａ内に挿入される。これに伴い、同図に矢印で示すように、端子７は、端子６の挿入方向に沿って配置されるように、係合孔７１を支点として左右方向に揺動する。嵌合孔４２ａは、嵌合片５１に内側面を接触させて、嵌合片５１にガイドされながら下方に移動する。このため、雌コネクタ１は、雄コネクタ２に対して、端子収納孔５から突出した端子６の軸心に端子収容室４の軸心を一致させる所定の挿入姿勢を保ちながら、図８（ｃ）に示すように雄コネクタ２のフード部２２内に引き込まれる。
【００３３】
レバー３の操作で雌コネクタ１が雄コネクタ２に装着される際には、嵌合孔４２ａを嵌合片５１にガイドされた端子収容室４の軸心に沿って、雄コネクタ２の端子６が挿入される。端子収容室４の軸心に対して傾いて配置された端子７は、端子６の挿入方向に沿って配置されるように、係合孔７１を支点として揺動する。
【００３４】
このように、本実施形態によれば、端子収容室４が拡幅部４３を備えているので、端子収容室４内への端子６の挿入方向に沿って配置されるように、端子７を端子収容室４内で左右方向に揺動させて端子６と端子７との干渉による端子６の挿入力の増大を抑え、雌コネクタ１を雄コネクタ２に挿入する際のコネクタ挿入力の増大を抑えることができる。
【００３５】
しかも、雌コネクタ１が備える嵌合孔４２ａを雄コネクタ２が備える嵌合片５１でガイドして、雌コネクタ１を雄コネクタ２に対して所定の姿勢を保ってフード部２２内に引き込むことができる。従って、雄コネクタ２に対して雌コネクタ１が傾くのに伴い、端子６と端子７との干渉による端子の挿入力が増大するのを抑えることができる。
【００３６】
また、雌コネクタ１と雄コネクタ２との装着後には、嵌合孔４２ａと嵌合片５１とが嵌合することで、コネクタ１，２間に生じる振動や傾き等に伴い、端子６と端子７との接続位置がずれるのを抑え、両コネクタ１，２同士の電気的接触信頼性を向上させることもできる。
【００３７】
なお、上記第２の実施形態では、当接部１１１の下端面を、端子収容室４の左右の幅方向の中央部から両端部にかけて、当接方向と逆方向となる上方に後退させた場合について説明した。しかしながら、当接部１１１が上端面でも係合孔７１に当接する構成を有している場合には、当接部１１１の上端面を、端子収容室４の左右の幅方向の中央部から両端部にかけて、当接方向と逆方向となる下方に後退させる構成としてもよい。
【００３８】
上記第３の実施形態では、上記第２の実施形態と同様に、係止部材１１０が備える当接部１１１の下端面及び下端面のうちの係合孔７１に当接する面を、端子収容室４の左右の幅方向の中央部から両端部にかけて、当接方向と逆方向に後退させて、当接部１１１の左右方向の中央部と当接した係合孔７１の下縁部とのクリアランス１１１ａを、当接部１１１の下端面の左右の両側部に設ける構成としてもよい。
【００３９】
この構成によれば、上記第２の実施形態と同様に、端子収容室４内で揺動する端子７が備える係合孔７１の当接部１１１への当接面を、左右の幅方向の中央部から両端部にかけて当接方向と逆方向に後退した当接部１１１の下端面に沿うように傾けて、端子６と端子７との干渉による端子の挿入力の増大を効果的に抑えることができる。
【００４０】
また、端子７の係合孔７１に当接する当接部は、係合部材１１０に備えられている必要はない。例えば、係合部材１１０に代えて端子収容室４の前壁及び後壁の少なくとも一方に突出部を設け、この突出部に係合孔７１を当接させてもよい。更に、上記第２の実施形態では、この突出部の下端面及び上端面のうちの係合孔７１に当接する面を、当接部１１１と同様の形状に構成してもよい。
【００４１】
また、上記各実施形態では、係止部材１１０が本体１１の前壁側のみに備えられている場合について説明したが、後壁側にも係止部材１１０を備えている構成としてもよい。更に、上記第２の実施形態では、後壁側の係止部材１１０が備える当接部１１１も、前壁側の係止部材１１０と同様に構成してもよい。また、端子７が当接部１１１と当接させるのは、係合孔７１には限られず、接続部７ａの前面又は後面に備えられた突出部又は凹部でもよい。
【００４２】
また、端子収容室４の構成は、端子収容室４内での左右の幅方向への端子７の揺動を許容するための拡幅部４３を備えるのであれば任意であり、例えば、第１及び第２の各実施形態でも、上記第３の実施形態と同様に、挿入口４０の開口する拡幅部４３の下端側を拡幅させた構成としてもよい。
【００４３】
また、上記第３の実施形態では、雌コネクタ１が嵌合片を備え、雄コネクタ２が嵌合孔を備える構成としてもよい。また、上記各実施形態では、本発明をレバー３を備えるレバー嵌合式コネクタに適用した場合について説明した。しかしながら、本発明は、レバー嵌合式コネクタ以外のコネクタにも適用することができる。
【図面の簡単な説明】
【００４４】
【図１】本発明の第１の実施形態のコネクタ装置の構成の概略を示す図であり、（ａ）は斜視図，（ｂ）は雄コネクタを断面で示す側面図である。
【図２】図１に示す雌コネクタの端子収容室を拡大して示す断面図であり、（ａ）は端子を収容した状態を前後方向に延びる断面で，（ｂ）は端子を収容していない状態を左右方向に延びる断面で，（ｃ）は（ｂ）に示す端子収容室に端子が収容された状態をそれぞれ示している。
【図３】図１に示す雌コネクタの端子内に雄コネクタの端子が挿入される状態を左右方向に延びる断面で拡大して示す図であり、（ａ）は端子の先端部，（ｂ）は基端部までが挿入された状態を示している。
【図４】本発明の第２の実施形態の雌コネクタが備える係止部材を拡大して示す図であり、（ａ）は左右方向に延びる端子収容室の断面図で，（ｂ）は後方からの斜視図で，（ｃ）は（ａ）の拡大図で、それぞれ示している。
【図５】図４に示す雌コネクタの端子内に雄コネクタの端子が挿入される状態を左右方向に延びる断面で示す図であり、（ａ）は端子の全体を，（ｂ）は係止部材が備える当接部との当接箇所をそれぞれ拡大して示している。
【図６】本発明の第３の実施形態の雌コネクタが備える端子収容室を拡大して示す図であり、（ａ）は左右方向に延びる断面図で，（ｂ）は挿入口の開口する本体の下面側からの斜視図で、それぞれ示している。
【図７】本発明の第３の実施形態の雄コネクタが備える本体の左右方向に延びる断面を拡大して示す斜視図である。
【図８】図６に示す雌コネクタの端子内に図７に示す雄コネクタの端子が挿入される状態を左右方向に延びる断面で示す図であり、（ａ）は端子の端子への挿入時，（ｂ）は嵌合片の嵌合孔への挿入時，（ｃ）は雌コネクタの雄コネクタへの装着時をそれぞれ示している。
【符号の説明】
【００４５】
１      雌コネクタ
１１    本体
１１０  係止部材
１１１  当接部
１２０  隔壁
２      雄コネクタ
３      レバー
４      端子収容室
４０    挿入口
４２    嵌合部
４２ａ  嵌合孔
４１    開口
５１    嵌合片
６      端子
７      端子
７１    係合孔
【図１】
2010140724.tif 000003
【図２】
2010140724.tif 000004
【図３】
2010140724.tif 000005
【図４】
2010140724.tif 000006
【図５】
2010140724.tif 000007
【図６】
2010140724.tif 000008
【図７】
2010140724.tif 000009
【図８】
2010140724.tif 000010